(57)【要約】【課題】静電容量スイッチの感度低下を抑制しながら静電容量スイッチの取り替え作業性（リワーク性）を向上させることが可能な表示装置を提供する。【解決手段】このテレビジョン装置１１（表示装置）は、フロントキャビネット２１と、フロントキャビネット２１から露出するように配置された表示領域を有する表示部６２と、フロントキャビネット２１の内面に取り付けられ、フロントキャビネット２１の内面側の表面に静電容量スイッチ４１１が設けられた操作用基板４１と、操作用基板４１の静電容量スイッチ４１１が設けられた側とは反対側の表面の静電容量スイッチ４１１に対応する位置をフロントキャビネット２１の内面に向かって押圧するリブ５１１を有する基板固定部材５１とを備え、基板固定部材５１は、静電容量スイッチ４１１のフロントキャビネット２１側の表面とフロントキャビネット２１の内面とが互いに密着するように操作用基板４１を押圧した状態でフロントキャビネット２１に固定するように構成されている。【選択図】図３
2013102420.tif 000002
【特許請求の範囲】
【請求項１】
筺体と、
前記筺体から露出するように配置された表示領域を有する表示部と、
前記筺体の内面に取り付けられ、前記筺体の内面側の表面に静電容量スイッチが設けられた基板と、
前記基板の前記静電容量スイッチが設けられた側とは反対側の表面の前記静電容量スイッチに対応する位置を前記筺体の内面に向かって押圧する第１押圧部を有する基板固定部材とを備え、
前記基板固定部材は、前記静電容量スイッチの前記筺体側の表面と前記筺体の内面とが互いに密着するように前記基板を押圧した状態で前記筺体に固定するように構成されている、表示装置。
【請求項２】
前記基板固定部材の第１押圧部は、前記基板の前記静電容量スイッチが設けられた側とは反対側の前記静電容量スイッチに対応する位置を押圧する凸部を含む、請求項１に記載の表示装置。
【請求項３】
前記凸部は、前記基板固定部材に一体的に設けられたリブにより形成されている、請求項２に記載の表示装置。
【請求項４】
前記基板には、前記筺体の内面側の表面に複数個の前記静電容量スイッチが設けられており、
前記リブは、前記静電容量スイッチの前記複数個の静電容量スイッチが隣接する方向の幅よりも小さい幅を有し、かつ、前記複数個の静電容量スイッチが隣接する方向に垂直な方向に延びる形状を有している、請求項３に記載の表示装置。
【請求項５】
前記凸部は、平面視で前記静電容量スイッチの略中央に対応する位置を押圧するように形成されている、請求項２〜４のいずれか１項に記載の表示装置。
【請求項６】
前記基板固定部材は、前記凸部が前記基板を押圧する反力によって、前記筺体の内面側とは反対方向に凸状に反った状態で前記筺体に固定されるように構成されている、請求項２〜５のいずれか１項に記載の表示装置。
【請求項７】
前記基板には、前記筺体の内面側の表面に複数個の前記静電容量スイッチが設けられており、
前記基板の前記静電容量スイッチが設けられた側とは反対側の前記静電容量スイッチに対応する複数の位置のうちの一部の位置が前記第１押圧部により押圧されるように構成されている、請求項１〜６のいずれか１項に記載の表示装置。
【請求項８】
前記筺体は、前記基板固定部材を取り付けるための取付部を含み、
前記取付部は、前記基板を前記筺体に対して位置決めする第１位置決め部を含み、
前記基板固定部材は、前記基板が前記第１位置決め部により前記筺体に位置決めされた状態で、前記第１押圧部により前記基板を押圧するように前記取付部に取り付けられる、請求項１〜７のいずれか１項に記載の表示装置。
【請求項９】
前記取付部は、前記基板固定部材を前記筺体に対して位置決めする第２位置決め部を含み、
前記基板固定部材は、前記基板が前記第１位置決め部により前記筺体に位置決めされ、かつ、前記第２位置決め部により前記筺体に位置決めされた状態で、前記第１押圧部により前記基板を押圧するように前記取付部に取り付けられる、請求項８に記載の表示装置。
【請求項１０】
前記基板固定部材は、仮止め用のフックを含み、
前記筺体は、前記基板固定部材の仮止め用のフックと係合するフック係合部を含み、
前記基板固定部材は、前記第２位置決め部により前記筺体に対して位置決めされた状態で、前記仮止め用のフックを前記筺体のフック係合部に係合して仮止めされるように構成されている、請求項９に記載の表示装置。
【請求項１１】
前記基板固定部材は、前記第２位置決め部により前記筺体に対して位置決めされるとともに、前記仮止め用のフックを前記筺体のフック係合部に係合して仮止めされた状態で、締結部材により前記取付部に固定されるように構成されている、請求項１０に記載の表示装置。
【請求項１２】
前記基板固定部材は、平面視で略矩形形状を有しているとともに、略矩形形状の長手方向に延びる外縁部が前記基板固定部材の前記筺体に対する固定方向において他の部分よりも大きい厚みを有するように形成されている、請求項１〜１１のいずれか１項に記載の表示装置。
【請求項１３】
前記筺体には透明樹脂板が取り付けられており、
前記基板固定部材は、前記第１押圧部と略同じ高さを有する第２押圧部を含み、
前記第２押圧部は、前記筺体と前記基板との間に前記透明樹脂板を挟み込んだ状態で、前記基板の前記透明樹脂板に対向する側とは反対側の前記透明樹脂板に対応する位置近傍を押圧するように構成されている、請求項１〜１２のいずれか１項に記載の表示装置。
【請求項１４】
テレビジョン放送を受信可能な受信部と、
筺体と、
前記筺体から露出するように配置された表示領域を有するとともに、前記受信部により受信された前記テレビジョン放送を表示可能な表示部と、
前記筺体の内面に取り付けられ、前記筺体の内面側の表面に静電容量スイッチが設けられた基板と、
前記基板の前記静電容量スイッチが設けられた側とは反対側の表面の前記静電容量スイッチに対応する位置を前記筺体の内面に向かって押圧する第１押圧部を有する基板固定部材とを備え、
前記基板固定部材は、前記静電容量スイッチの前記筺体側の表面と前記筺体の内面とが互いに密着するように前記基板を押圧した状態で前記筺体に固定するように構成されている、テレビジョン装置。
【発明の詳細な説明】
【技術分野】
【０００１】
この発明は、表示装置およびテレビジョン装置に関し、特に、静電容量スイッチが設けられた表示装置およびテレビジョン装置に関する。
【背景技術】
【０００２】
従来、静電容量スイッチが設けられた静電容量型タッチスイッチが知られている（たとえば、特許文献１参照）。
【０００３】
上記特許文献１には、ガラス板と、スイッチ電極（静電容量スイッチ）が設けられた電極シート（基板）とを備える静電容量型タッチスイッチが開示されている。この静電容量型タッチスイッチでは、接着剤を介してスイッチ電極をガラス板の内面に貼り付けることにより、スイッチ電極とガラス板との間に空気層が形成されることを抑制してスイッチ電極の感度の低下を抑制している。
【先行技術文献】
【特許文献】
【０００４】
【特許文献１】特開２００７−２０７５３１号公報
【発明の概要】
【発明が解決しようとする課題】
【０００５】
しかしながら、上記特許文献１の静電容量型タッチスイッチでは、スイッチ電極とガラス板との間に空気層が形成されることを抑制してスイッチ電極の感度低下を抑制することが可能である一方、スイッチ電極（静電容量スイッチ）が接着剤を用いてガラス板の内面に貼り付けられているので、ガラス板に取り付けられたスイッチ電極を取り外すのが困難であるという不都合がある。このため、上記特許文献１に記載の静電容量型タッチスイッチを表示装置に適用した場合には、表示装置のスイッチ電極の取り替え作業性（リワーク性）が悪いという問題点がある。
【０００６】
この発明は、上記のような課題を解決するためになされたものであり、この発明の１つの目的は、静電容量スイッチの感度低下を抑制しながら静電容量スイッチの取り替え作業性（リワーク性）を向上させることが可能な表示装置およびテレビジョン装置を提供することである。
【課題を解決するための手段】
【０００７】
この発明の第１の局面による表示装置は、筺体と、筺体から露出するように配置された表示領域を有する表示部と、筺体の内面に取り付けられ、筺体の内面側の表面に静電容量スイッチが設けられた基板と、基板の静電容量スイッチが設けられた側とは反対側の表面の静電容量スイッチに対応する位置を筺体の内面に向かって押圧する第１押圧部を有する基板固定部材とを備え、基板固定部材は、静電容量スイッチの筺体側の表面と筺体の内面とが互いに密着するように基板を押圧した状態で筺体に固定するように構成されている。
【０００８】
この発明の第１の局面による表示装置では、上記のように、基板の静電容量スイッチが設けられた側とは反対側の表面の静電容量スイッチに対応する位置を、基板の内面に向かって押圧する第１押圧部を有する基板固定部材を設けるとともに、基板固定部材を、静電容量スイッチの筺体側の表面と筺体の内面とが互いに密着するように基板を押圧した状態で筺体に固定するように構成することによって、基板固定部材により接着剤を用いることなく静電容量スイッチを筺体の内面に密着した状態で押し付けながら基板を固定することができる。これにより、基板固定部材による基板の固定状態では、静電容量スイッチと筺体との間に空気層が形成されるのを抑制することができるとともに、基板固定部材による固定を解除することにより静電容量スイッチと筺体とを容易に離間させることができる。その結果、静電容量スイッチの感度低下を抑制しながら静電容量スイッチの取り替え作業性（リワーク性）を向上させることができる。
【０００９】
上記第１の局面による表示装置において、好ましくは、基板固定部材の第１押圧部は、基板の静電容量スイッチが設けられた側とは反対側の静電容量スイッチに対応する位置を押圧する凸部を含む。このように構成すれば、凸部により、基板の静電容量スイッチに対応する位置を筺体の内面に向かって容易に押圧することができる。
【００１０】
この場合、好ましくは、凸部は、基板固定部材に一体的に設けられたリブにより形成されている。このように構成すれば、基板固定部材に一体的に設けられたリブにより、部品点数を増加させることなく基板の静電容量スイッチに対応する位置を筺体の内面に向かって容易に押圧することができる。
【００１１】
上記凸部がリブにより形成されている構成において、好ましくは、基板には、筺体の内面側の表面に複数個の静電容量スイッチが設けられており、リブは、静電容量スイッチの複数個の静電容量スイッチが隣接する方向の幅よりも小さい幅を有し、かつ、複数個の静電容量スイッチが隣接する方向に垂直な方向に延びる形状を有している。このように構成すれば、複数個の静電容量スイッチが隣接する方向に垂直な方向に延びる細長形状のリブにより、静電容量スイッチが隣接する方向において小さい幅で静電容量スイッチを押圧することができる。これにより、静電容量スイッチが隣接する方向において大きい幅で静電容量スイッチを押圧する場合と異なり、リブが撓み変形することができるので、リブの寸法のばらつきを吸収してリブと基板との当接面（押圧面）において良好に接触状態を維持することができる。その結果、リブにより静電容量スイッチに対応する位置を安定して押圧することができる。
【００１２】
上記第１押圧部が凸部を含む構成において、好ましくは、凸部は、平面視で静電容量スイッチの略中央に対応する位置を押圧するように形成されている。このように構成すれば、凸部により静電容量スイッチを筺体の内面に効果的に押し付けることができる。
【００１３】
上記第１押圧部が凸部を含む構成において、好ましくは、基板固定部材は、凸部が基板を押圧する反力によって、筺体の内面側とは反対方向に凸状に反った状態で筺体に固定されるように構成されている。このように構成すれば、筺体の内面側とは反対方向に反った基板固定部材が、元の（反る前の）形状に戻ろうとする力により基板を筺体の内面側に押圧することができるので、容易に、静電容量スイッチを筺体の内面に密着した状態で押し付けながら基板を固定することができる。
【００１４】
上記第１の局面による表示装置において、好ましくは、基板には、筺体の内面側の表面に複数個の静電容量スイッチが設けられており、基板の静電容量スイッチが設けられた側とは反対側の静電容量スイッチに対応する複数の位置のうちの一部の位置が第１押圧部により押圧されるように構成されている。このように構成すれば、静電容量スイッチに対応する複数の位置の全ての位置を押圧する場合とは異なり、第１押圧部の数を少なくすることができるので、構造が複雑になるのを抑制することができる。
【００１５】
上記第１の局面による表示装置において、好ましくは、筺体は、基板固定部材を取り付けるための取付部を含み、取付部は、基板を筺体に対して位置決めする第１位置決め部を含み、基板固定部材は、基板が第１位置決め部により筺体に位置決めされた状態で、第１押圧部により基板を押圧するように取付部に取り付けられる。このように構成すれば、基板固定部材を取り付けるための取付部が、基板を筺体に対して位置決めする第１位置決め部としても兼用されるので、基板を筺体に対して位置決めする専用の第１位置決め部を別途設ける必要がなく、その分、部品点数の増加を抑制することができる。
【００１６】
この場合、好ましくは、取付部は、基板固定部材を筺体に対して位置決めする第２位置決め部を含み、基板固定部材は、基板が第１位置決め部により筺体に位置決めされ、かつ、第２位置決め部により筺体に位置決めされた状態で、第１押圧部により基板を押圧するように取付部に取り付けられる。このように構成すれば、基板固定部材を取り付けるための取付部が、基板固定部材を筺体に対して位置決めする第２位置決め部としても兼用されるので、基板固定部材を筺体に対して位置決めする専用の第２位置決め部を別途設ける必要がなく、その分、部品点数の増加を抑制することができる。また、基板と基板固定部材との両方が筺体に対して位置決めされるので、基板の静電容量スイッチに対応する位置を基板固定部材の第１押圧部により確実に押圧することができる。
【００１７】
上記取付部が第２位置決め部を含む構成において、好ましくは、基板固定部材は、仮止め用のフックを含み、筺体は、基板固定部材の仮止め用のフックと係合するフック係合部を含み、基板固定部材は、第２位置決め部により筺体に対して位置決めされた状態で、仮止め用のフックを筺体のフック係合部に係合して仮止めされるように構成されている。このように構成すれば、フックおよびフック係合部により基板固定部材を取付部に仮止めした状態で基板固定部材を筺体に取り付けることができるので、基板固定部材の取付作業を容易に行うことができる。
【００１８】
上記基板固定部材が仮止め用のフックを含む構成において、好ましくは、基板固定部材は、第２位置決め部により筺体に対して位置決めされるとともに、仮止め用のフックを筺体のフック係合部に係合して仮止めされた状態で、締結部材により取付部に固定されるように構成されている。このように構成すれば、締結部材により、第２位置決め部により筺体に対して位置決めされた仮止め状態の基板固定部材を取付部に確実に取り付けることができる。
【００１９】
上記第１の局面による表示装置において、好ましくは、基板固定部材は、平面視で略矩形形状を有しているとともに、略矩形形状の長手方向に延びる外縁部が基板固定部材の筺体に対する固定方向において他の部分よりも大きい厚みを有するように形成されている。このように構成すれば、基板固定部材の機械的強度を高めることができるので、基板固定部材のねじれを抑制することができる。その結果、基板の静電容量スイッチに対応する位置を筺体の内面に向かって安定して押圧することができる。
【００２０】
上記第１の局面による表示装置において、好ましくは、筺体には透明樹脂板が取り付けられており、基板固定部材は、第１押圧部と略同じ高さを有する第２押圧部を含み、第２押圧部は、筺体と基板との間に透明樹脂板を挟み込んだ状態で、基板の透明樹脂板に対向する側とは反対側の透明樹脂板に対応する位置近傍を押圧するように構成されている。ここで、本発明の透明樹脂板は、透明な樹脂板に限らず半透明の樹脂板を含む広い概念である。このように構成すれば、筺体に取り付けられた透明樹脂板が第２押圧部により筺体の内面側に押圧されるので、ユーザが透明樹脂板を筺体の外側から内側に押し込んだ場合など筺体の外側からの外力により透明樹脂板が筺体の内部に陥没することを抑制することができる。
【００２１】
この発明の第２の局面によるテレビジョン装置は、テレビジョン放送を受信可能な受信部と、筺体と、筺体から露出するように配置された表示領域を有するとともに、受信部により受信されたテレビジョン放送を表示可能な表示部と、筺体の内面に取り付けられ、筺体の内面側の表面に静電容量スイッチが設けられた基板と、基板の静電容量スイッチが設けられた側とは反対側の表面の静電容量スイッチに対応する位置を筺体の内面に向かって押圧する第１押圧部を有する基板固定部材とを備え、基板固定部材は、静電容量スイッチの筺体側の表面と筺体の内面とが互いに密着するように基板を押圧した状態で筺体に固定するように構成されている。
【００２２】
この発明の第２の局面によるテレビジョン装置では、上記のように、基板の静電容量スイッチが設けられた側とは反対側の表面の静電容量スイッチに対応する位置を、基板の内面に向かって押圧する第１押圧部を有する基板固定部材を設けるとともに、基板固定部材を、静電容量スイッチの筺体側の表面と筺体の内面とが互いに密着するように基板を押圧した状態で筺体に固定するように構成することによって、基板固定部材により接着剤を用いることなく静電容量スイッチを筺体の内面に密着した状態で押し付けながら基板を固定することができる。これにより、基板固定部材による基板の固定状態では、静電容量スイッチと筺体との間に空気層が形成されるのを抑制することができるとともに、基板固定部材による固定を解除することにより静電容量スイッチと筺体とを容易に離間させることができる。その結果、静電容量スイッチの感度低下を抑制しながら静電容量スイッチの取り替え作業性（リワーク性）を向上させることができる。
【発明の効果】
【００２３】
本発明によれば、上記のように、静電容量スイッチの感度低下を抑制しながら静電容量スイッチの取り替え作業性（リワーク性）を向上させることができる。
【図面の簡単な説明】
【００２４】
【図１】本発明の一実施形態によるテレビジョン装置の全体構成を示した分解斜視図である。
【図２】本発明の一実施形態によるテレビジョン装置の前方から見た平面図である。
【図３】本発明の一実施形態によるテレビジョン装置の操作用基板の取付状態を示した分解斜視図である。
【図４】本発明の一実施形態によるテレビジョン装置のフロントキャビネットの下部を拡大した図である。
【図５】本発明の一実施形態によるテレビジョン装置の透明樹脂板を示した図である。
【図６】本発明の一実施形態によるテレビジョン装置の操作用基板を示した図である。
【図７】本発明の一実施形態によるテレビジョン装置の基板固定部材のフロントキャビネット側を示した図である。
【図８】本発明の一実施形態によるテレビジョン装置の基板固定部材を上側から見た図である。
【図９】本発明の一実施形態によるテレビジョン装置の基板固定部材のフロントキャビネット側と反対側を示した図である。
【図１０】図７の１００−１００線に沿った断面図である。
【図１１】本発明の一実施形態によるテレビジョン装置のフロントキャビネットに基板固定部材を取り付けた状態の図である。
【図１２】図１１の２００−２００線に沿った断面図である。
【図１３】図１１の３００−３００線に沿った断面図である。
【図１４】本発明の一実施形態によるテレビジョン装置のフロントキャビネットに透明樹脂板を取り付けた状態の図である。
【図１５】本発明の一実施形態によるテレビジョン装置のフロントキャビネットに透明樹脂板と操作用基板とを取り付けた状態の図である。
【図１６】本発明の一実施形態によるテレビジョン装置の基板固定部材の第１変形例を示した図である。
【図１７】本発明の一実施形態によるテレビジョン装置の基板固定部材の第２変形例を示した図である。
【発明を実施するための形態】
【００２５】
以下、本発明の実施形態を図面に基づいて説明する。
【００２６】
図１〜図１５を参照して、本発明の一実施形態によるテレビジョン装置１の構成について説明する。なお、テレビジョン装置１は、本発明の「表示装置」の一例である。
【００２７】
本発明の一実施形態によるテレビジョン装置１は、図１〜図３に示すように、枠状のフロントキャビネット２１を備えている。また、フロントキャビネット２１には、図１および図３に示すように、レンズ機能を有する透明樹脂板３１と、操作用基板４１と、基板固定部材５１とが取り付けられている。また、テレビジョン装置１は、表示装置本体６１と、スタンド部材７１とを備えている。また、表示装置本体６１は、枠状のフロントキャビネット２１から表示領域が露出される表示部６２と、回路基板６３ａおよび６３ｂと、スピーカ／スタンド取付部材６４と、スピーカ６５ａおよび６５ｂと、カバー部材６６とを含んでいる。なお、フロントキャビネット２１は、本発明の「筺体」の一例である。また、操作用基板４１は、本発明の「基板」の一例である。
【００２８】
フロントキャビネット２１は、図２に示すように、前面視において略矩形形状に形成されている。また、フロントキャビネット２１は、ポリスチレン等の樹脂で形成されている。
【００２９】
ここで、本実施形態では、フロントキャビネット２１には、図３および図４に示すように、透明樹脂板３１が嵌め込まれる１つの透明樹脂板取付用孔２２と、基板固定部材５１をフロントキャビネット２１に固定する２つの取付部２３とが設けられている。透明樹脂板取付用孔２２は、フロントキャビネット２１の下部の中央付近に設けられている。透明樹脂板取付用孔２２は、略矩形形状（横長の長方形形状）を有しており、透明樹脂板３１（図５参照）が嵌り込むように構成されている。また、２つの取付部２３は、フロントキャビネット２１の内側（Ｙ２方向側）の下部の中央付近に設けられている。また、フロントキャビネット２１の透明樹脂板取付用孔２２は、２つの取付部２３の間に設けられている。２つの取付部２３は、互いに所定の間隔を隔てて配置されている。
【００３０】
また、各取付部２３には、図４に示すように、操作用基板４１をフロントキャビネット２１の左右方向（Ｘ方向）に対して位置決めを行う第１位置決め部２３１と、基板固定部材５１の位置決めを行う第２位置決め部２３２と、基板固定部材５１のフック５１４が係合されるフック係合部２３３と、基板固定部材５１をネジ５１５ｂ（図３参照）により取付部２３に固定するためのネジ孔２３４とが設けられている。また、第１位置決め部２３１は、２つの取付部２３が対向する方向に突出するように設けられている。また、第１位置決め部２３１は、Ｙ方向に延びる直線状のリブにより形成されている。第２位置決め部２３２は、Ｙ２方向（後方）に突出する円柱形状のボスにより構成されている。
【００３１】
また、フック係合部２３３は、２つの取付部２３の第１位置決め部２３１および第２位置決め部２３２よりもＸ方向の外側の位置に設けられている。また、フック係合部２３３は、基板固定部材５１のフック５１４と係合する孔形状に形成されている。また、フロントキャビネット２１の内面には、操作用基板４１をフロントキャビネット２１の上下方向（Ｚ方向）に対して位置決めする８つの第３位置決め部２４が設けられている。なお、ネジ５１５ｂは、本発明の「締結部材」の一例である。
【００３２】
フロントキャビネット２１の下部の中央付近の透明樹脂板取付用孔２２には、図２および図３に示すように、透明樹脂板３１が取り付けられている。透明樹脂板３１は、光を透過可能に構成されている。また、透明樹脂板３１は、操作用基板４１に設けられたＬＥＤ４１３から照射された光が視認しやすい指向性を持って伝達するように構成されている。透明樹脂板３１は、図５に示すように、略矩形形状に形成されている。また、透明樹脂板３１のテレビジョン装置１の内側（Ｙ２方向側）には、操作用基板４１に設けられた照度センサ４１２と、ＬＥＤ４１３と、ＩＲ受光部４１４とのそれぞれの形状に対応する凹部３１１、３１２、および、３１３が形成されている。また、透明樹脂板３１の縁部３１４が、フロントキャビネット２１の内面に当接するように構成されている。また、透明樹脂板３１の前側（Ｙ１方向側）部分は、フロントキャビネット２１の前側（Ｙ１方向側）部分と、略面一になるように構成されている。また、透明樹脂板３１は、ＡＢＳ（アクリロニトリルブタジエンスチレン共重合合成）樹脂により形成されている。なお、本実施形態の「透明樹脂板」は、透明または半透明の樹脂板という意味である。
【００３３】
操作用基板４１は、図６に示すように、静電容量の変化を検出可能な７つの静電容量スイッチ４１１と、テレビジョン装置１の設置場所の明るさを検出する照度センサ４１２と、テレビジョン装置１の電源状態を示すＬＥＤ（発光ダイオード素子）４１３と、リモコンから発信されたＩＲ信号を受信するＩＲ受光部４１４とを含んでいる。また、照度センサ４１２、ＬＥＤ４１３、および、ＩＲ受光部４１４は、操作用基板４１のレジストが設けられていない非レジスト部４１５に設けられている。静電容量スイッチ４１１は、ユーザが各静電容量スイッチ４１１に対応するフロントキャビネット２１の前側（Ｙ１方向側）の操作部分２１ａ（図２参照）を触れることにより変化した静電容量を検出することにより、ユーザによる操作を検出するように構成されている。操作用基板４１の非レジスト部４１５は、操作用基板４１周辺に侵入した静電気を逃がすグランドパターンとして機能するように構成されている。７つの静電容量スイッチ４１１は、それぞれ、操作用基板４１の長手方向（Ｘ方向）に所定の間隔を隔てて配置されている。
【００３４】
また、図２に示すように、７つの静電容量スイッチ４１１は、それぞれ、左側（Ｘ１方向側）から、音量（下げる）、音量（上げる）、チャネル（下げる）、チャネル（上げる）、メニュー、入力ソース、および、電源の操作に対応するように設定されている。７つの静電容量スイッチ４１１は、図６に示すように、それぞれ略矩形形状（横長の長方形形状）に形成されている。また、静電容量スイッチ４１１と操作用基板４１の前側（Ｙ１方向側）の表面とは略面一に形成されている。操作用基板４１は、静電容量スイッチ４１１がフロントキャビネット２１の内面に密着するようにフロントキャビネット２１に取り付けられている。また、操作用基板４１は、照度センサ４１２、ＬＥＤ４１３、および、ＩＲ受光部４１４が、フロントキャビネット２１に取り付けられた透明樹脂板３１（図５参照）の凹部３１１、３１２、および、３１３に対向するように、フロントキャビネット２１に設置される。
【００３５】
また、操作用基板４１は、長手方向（Ｘ方向）の両端部４１６が、基板固定部材５１の第１位置決め部２３１により当接されることによりＸ方向の位置決めがされるように構成されている。また、操作用基板４１は、短手方向（Ｚ方向）の両端部に、フロントキャビネット２１の第３位置決め部２４（図４参照）により位置決めされる切欠部４１７を含んでいる。なお、操作用基板４１のテレビジョン装置１の内側（Ｙ２方向側）の面には、端子４１８と端子４１９とが設けられている。端子４１８は、図示しない配線によって、回路基板６３ａに接続されている。静電容量スイッチ４１１が検出した静電容量変化としての信号は、端子４１８から図示しない配線を介して回路基板６３ａ（図１参照）に伝達される。また、端子４１９は、操作用基板４１の静電容量スイッチ４１１を制御するファームウェアを更新するときにパーソナルコンピュータに接続されて使用される。
【００３６】
基板固定部材５１は、操作用基板４１をフロントキャビネット２１の内面に固定する機能を有する。また、基板固定部材５１は、静電容量スイッチ４１１のフロントキャビネット２１側の表面とフロントキャビネット２１の内面とが互いに密着するように操作用基板４１を押圧した状態でフロントキャビネット２１に固定するように構成されている。基板固定部材５１は、図７および図９に示すように、平面視で略矩形形状に形成されている。基板固定部材５１のテレビジョン装置１の内側（Ｙ１方向側）には、３つのリブ５１１と２つの押圧部５１２とが形成されている。３つのリブ５１１と、２つの押圧部５１２とは、略同じ高さを有するように形成されている。また、基板固定部材５１は、基板固定部材５１のリブ５１１が設けられている部分がフロントキャビネット２１の内面側に対して略水平になるように構成されている。また、リブ５１１と押圧部５１２とは、基板固定部材５１と一体的に樹脂成形により形成されている。なお、リブ５１１は、本発明の「第１押圧部」および「凸部」の一例である。また、押圧部５１２は、本発明の「第２押圧部」の一例である。
【００３７】
基板固定部材５１は、図８および図１０に示すように、長手方向に延びる外縁部が基板固定部材５１のフロントキャビネット２１に対する固定方向（Ｙ方向）において他の部分よりも大きい厚みを有するように形成されている。３つのリブ５１１と、２つの押圧部５１２とは、図１２および図１３に示すように、操作用基板４１のテレビジョン装置１の内側（Ｙ２方向側）に当接して押圧するように形成されている。また、３つのリブ５１１は、それぞれ、操作用基板４１の静電容量スイッチ４１１が設けられた側とは反対側の表面の静電容量スイッチ４１１に対応する位置をフロントキャビネット２１の内面に向かって押圧するように形成されている。また、リブ５１１は、操作用基板４１上に設けられた７つの静電容量スイッチ４１１の位置に対応する７つの位置のうちの３つの位置を押圧するように形成されている。すなわち、リブ５１１は、７つの静電容量スイッチ４１１の位置に対応する７つの位置のうちの１つおきの位置を押圧するように形成されている。
【００３８】
また、リブ５１１は、図１１に示すように、７つの静電容量スイッチ４１１の隣接する方向（Ｘ方向）の幅よりも小さい幅を有する。また、リブ５１１は、平面視で静電容量スイッチ４１１の略中央に対応する位置を押圧するように形成されている。また、リブ５１１は、７つの静電容量スイッチ４１１が隣接する方向（Ｘ方向）に対して、略垂直な方向に延びるように形成されている。また、リブ５１１は、基板固定部材５１の一端側（Ｚ２方向側）の端部から、基板固定部材５１のＺ方向の略半分の位置まで延びるように形成されている。
【００３９】
２つの押圧部５１２は、図７〜図９に示すように、基板固定部材５１のＺ１方向側の端部に互いに所定の間隔を隔てて設けられている。また、２つの押圧部５１２は、略三角形形状（図８参照）に形成されている。また、２つの押圧部５１２は、フロントキャビネット２１と操作用基板４１との間に透明樹脂板３１を挟み込んだ状態で、操作用基板４１の透明樹脂板３１に対向する側とは反対側の透明樹脂板３１に対応する位置近傍を押圧するように構成されている。
【００４０】
基板固定部材５１の両端部には、図７および図９に示すように、それぞれ、取付部２３の第２位置決め部２３２と係合して基板固定部材５１の位置決めを行う位置決め孔５１３が１つずつ形成されている。基板固定部材５１の長手方向（Ｘ方向）の両端部には、それぞれ、ネジ孔５１５が１つずつ形成されている。ネジ孔５１５は、図１２に示すように、基板固定部材５１が第２位置決め部２３２により位置決めされて取付部２３に仮止めされた状態で、取付部２３のネジ孔２３４と、対応する位置に形成されている。基板固定部材５１は、ネジ孔５１５を介して、ネジ５１５ｂによりフロントキャビネット２１に固定されるように構成されている。
【００４１】
基板固定部材５１のＸ方向の両端部には、図７〜図９に示すように、それぞれ、フック５１４が１つずつ設けられている。フック５１４は、取付部２３のフック係合部２３３と係合するように形成されている。また、基板固定部材５１には、２つの孔部５１６、５１７が形成されている。孔部５１６は、操作用基板４１に設けられた端子４１８をテレビジョン装置１の後方側（Ｙ２方向側）に露出させるために設けられている。孔部５１７は、操作用基板４１に設けられた端子４１９をテレビジョン装置１の後方側（Ｙ２方向側）に露出させるために設けられている。なお、ネジ５１５ｂは、本発明の「締結部材」の一例である。
【００４２】
表示部６２は、図１に示すように、フロントキャビネット２１の後側（Ｙ２方向側）に配置されてフロントキャビネット２１に固定されている。また、表示部６２は、前側（Ｙ１方向側）の画面にテレビジョン放送の映像を表示するように構成さている。また、表示部６２は、後側（Ｙ２方向側）の面にリアフレーム６２１を有している。リアフレーム６２１は、金属（たとえば、ＳＥＣＣ（電気亜鉛めっき鋼板）からなる板金製）で形成されている。また、リアフレーム６２１には、信号処理用の回路基板６３ａおよび電源生成用の回路基板６３ｂを取り付けるためのネジ穴６２１ａと、スピーカ／スタンド取付部材６４を取り付けるためのネジ穴６２１ｂと、カバー部材６６を取り付けるためのネジ穴６２１ｃとが設けられている。
【００４３】
回路基板６３ａおよび６３ｂは、図１に示すように、表示部６２の後側（Ｙ２方向側）に配置されて表示部６２のリアフレーム６２１に固定されている。また、回路基板６３ａおよび６３ｂは、ネジ挿入穴６３１を介してリアフレーム６２１のネジ穴６２１ａにネジ６３２により取り付けられている。また、回路基板６３ａおよび６３ｂは、図示しない配線によりそれぞれ表示部６２に接続されている。また、回路基板６３ａは、テレビジョン放送を受信可能な受信部（チューナ）６３３を含んでいる。
【００４４】
スピーカ／スタンド取付部材６４は、図１に示すように、表示部６２の後側（Ｙ２方向側）に配置されて表示部６２のリアフレーム６２１に固定されている。このスピーカ／スタンド取付部材６４には、ネジ挿入穴６４８ａおよび６４８ｂとが設けられている。また、スピーカ／スタンド取付部材６４は、ポリスチレン等の樹脂で一体成形により形成されている。スピーカ／スタンド取付部材６４は、表示部６２に取り付けられた回路基板６３ａおよび６３ｂの下側（Ｚ２方向側）を覆う立壁状に形成されている。また、スピーカ／スタンド取付部材６４は、ネジ挿入穴６４８ａを介してリアフレーム６２１のネジ穴６２１ｂにネジ６４９により取り付けられている。また、スピーカ／スタンド取付部材６４は、ネジ挿入穴６４８ｂを介してリアフレーム６２１のネジ穴６２１ｂにネジ６６２により取り付けられている。また、２つのスピーカ６５ａ、６５ｂが、それぞれ、スピーカ／スタンド取付部材６４に設置されている。
【００４５】
カバー部材６６は、図１に示すように、表示部６２の後側（Ｙ２方向側）に配置されて表示部６２のリアフレーム６２１およびフロントキャビネット２１に固定されている。また、カバー部材６６は、表示部６２に取り付けられた回路基板６３の上側（Ｚ１方向側）、左右（Ｘ方向）および後側（Ｙ２方向側）が外部に露出しないように形成されている。つまり、カバー部材６６は、スピーカ／スタンド取付部材６４とともに、表示部６２に取り付けられた回路基板６３ａおよび６３ｂを覆うように構成されている。また、カバー部材６６は、表示部６２のリアフレーム６２１の後側（Ｙ２方向側）の一部を覆うように形成されている。また、カバー部材６６は、ネジ挿入穴６６１を有している。また、カバー部材６６は、ネジ挿入穴６６１を介してリアフレーム６２１のネジ穴６２１ａ〜６２１ｃにネジ６６２により取り付けられている。
【００４６】
スタンド部材７１は、表示装置本体６１を支持するように構成されている。また、スタンド部材７１は、図１に示すように、スピーカ／スタンド取付部材６４の下側（Ｚ２方向側）に配置され、ネジ挿入孔７１１を介して、ネジ７１２によりスピーカ／スタンド取付部材６４に取り付けられるように構成されている。
【００４７】
次に、図１１〜図１５を参照して、操作用基板４１および基板固定部材５１の取付手順について説明する。まず、図１４に示すように、透明樹脂板３１をフロントキャビネット２１の透明樹脂板取付用孔２２に嵌め込んでフロントキャビネット２１に設置する。この状態で、図１５に示すように、操作用基板４１をフロントキャビネット２１に設けられた２つの取付部２３の間に嵌め込み、フロントキャビネット２１の内側（Ｙ２方向側）に設置する。また、操作用基板４１を、操作用基板４１の静電容量スイッチ４１１がフロントキャビネット２１の内面に接触するように設置する。この際、操作用基板４１は、両端部４１６および切欠部４１７を、第１位置決め部２３１および第３位置決め部２４に係合して、フロントキャビネット２１に位置決めを行う。この状態で、図１１、図１２、および、図１３に示すように、基板固定部材５１を操作用基板４１のテレビジョン装置１の内側（Ｙ２方向側）からフロントキャビネット２１の取付部２３に設置する。基板固定部材５１の位置決め孔５１３とフロントキャビネット２１の第２位置決め部２３２とを係合させて、基板固定部材５１の位置決めを行う。この状態で、基板固定部材５１をフロントキャビネット２１の前側方向（Ｙ１方向）に押しこんで、基板固定部材５１の仮止め用のフック５１４と、フロントキャビネット２１のフック係合部２３３とを係合させて基板固定部材５１をフロントキャビネット２１の取付部２３に仮止めする。この状態で、基板固定部材５１をネジ５１５ｂによってフロントキャビネット２１の取付部２３に固定する。
【００４８】
本実施形態では、上記のように、操作用基板４１の静電容量スイッチ４１１が設けられた側とは反対側の静電容量スイッチ４１１に対応する位置を、操作用基板４１の内面に向かって押圧するリブ５１１を有する基板固定部材５１を設けるとともに、基板固定部材５１を、静電容量スイッチ４１１のフロントキャビネット２１側の表面とフロントキャビネット２１の内面とが互いに密着するように操作用基板４１を押圧した状態でフロントキャビネット２１に固定するように構成することによって、接着剤を用いることなく静電容量スイッチ４１１をフロントキャビネット２１の内面に密着した状態で押し付けながら操作用基板４１を固定することができる。これにより基板固定部材５１による操作用基板４１の固定状態では、静電容量スイッチ４１１とフロントキャビネット２１との間に空気層が形成されるのを抑制することができるとともに、基板固定部材５１による固定を解除することにより静電容量スイッチ４１１とフロントキャビネット２１とを容易に離間させることができる。その結果、静電容量スイッチ４１１の感度低下を抑制しながら静電容量スイッチ４１１の取り替え作業性（リワーク性）を向上させることができる。
【００４９】
また、本実施形態では、上記のように、リブ５１１を、基板固定部材５１に一体的に形成することによって、基板固定部材５１に一体的に設けられたリブ５１１により、部品点数を増加させることなく操作用基板４１の静電容量スイッチ４１１に対応する位置をフロントキャビネット２１の内面に向かって容易に押圧することができる。
【００５０】
また、本実施形態では、複数個の静電容量スイッチ４１１を、操作用基板４１に設け、静電容量スイッチ４１１の複数個の静電容量スイッチ４１１が隣接する方向の幅よりも小さい幅を有し、かつ、複数個の静電容量スイッチ４１１が隣接する方向に垂直な方向に延びる形状を有しているリブ５１１を設けることによって、複数個の静電容量スイッチ４１１が隣接する方向に垂直な方向に延びる細長形状のリブ５１１により、静電容量スイッチ４１１が隣接する方向において小さい幅で静電容量スイッチ４１１を押圧することができる。これにより、静電容量スイッチ４１１が隣接する方向において大きい幅で静電容量スイッチ４１１を押圧する場合と異なり、リブ５１１が撓み変形することができるので、リブ５１１の寸法のばらつきを吸収してリブ５１１と操作用基板４１との当接面（押圧面）において良好に接触状態を維持することができる。その結果、リブ５１１により静電容量スイッチ４１１に対応する位置を安定して押圧することができる。
【００５１】
また、本実施形態では、リブ５１１を、平面視で静電容量スイッチ４１１の略中央に対応する位置を押圧するように形成することによって、リブ５１１により静電容量スイッチ４１１をフロントキャビネット２１の内面に効果的に押し付けることができる。
【００５２】
また、本実施形態では、複数個の静電容量スイッチ４１１を、基板固定部材４１に設け、操作用基板４１の静電容量スイッチ４１１が設けられた側とは反対側の静電容量スイッチ４１１に対応する複数の位置のうちの一部の位置をリブ５１１により押圧するように構成することによって、静電容量スイッチ４１１に対応する全ての位置を押圧する場合とは異なり、リブ５１１の数を少なくすることができるので、構造が複雑になるのを抑制することができる。
【００５３】
また、本実施形態では、基板固定部材５１を取り付けるための取付部２３を、フロントキャビネット２１は含み、取付部２３は、操作用基板４１をフロントキャビネット２１に対して位置決めする第１位置決め部２３１を含み、基板固定部材５１を、操作用基板４１が第１位置決め部２３１によりフロントキャビネット２１に位置決めされた状態で、リブ５１１により操作用基板４１を押圧するように取付部２３に取り付けることによって、基板固定部材５１を取り付けるための取付部２３が、操作用基板４１をフロントキャビネット２１に対して位置決めする第１位置決め部２３１としても兼用されるので、操作用基板４１をフロントキャビネット２１に対して位置決めする専用の第１位置決め部２３１を別途設ける必要がなく、その分、部品点数の増加を抑制することができる。
【００５４】
また、本実施形態では、取付部２３は、基板固定部材５１をフロントキャビネット２１に対して位置決めする第２位置決め部２３２を含み、基板固定部材５１を、操作用基板４１が第１位置決め部２３１によりフロントキャビネット２１に位置決めされ、かつ、第２位置決め部２３２によりフロントキャビネット２１に位置決めした状態で、操作用基板４１を押圧することによって、基板固定部材５１を取り付けるための取付部２３が、基板固定部材５１をフロントキャビネット２１に対して位置決めする第２位置決め部２３２としても兼用されるので、基板固定部材５１をフロントキャビネット２１に対して位置決めする専用の第２位置決め部２３２を別途設ける必要がなく、その分、部品点数の増加を抑制することができる。また、操作用基板４１と基板固定部材５１との両方が、フロントキャビネット２１に対して位置決めされるので、操作用基板４１の静電容量スイッチ４１１に対応する位置を基板固定部材５１のリブ５１１により確実に押圧することができる。
【００５５】
また、本実施形態では、基板固定部材５１は、仮止め用のフック５１４を含み、フロントキャビネット２１は、基板固定部材５１の仮止め用のフック５１４と係合するフック係合部を含み、基板固定部材５１を、第２位置決め部２３２によりフロントキャビネット２１に対して位置決めした状態で、仮止め用のフック５１４をフロントキャビネット２１のフック係合部２３３に係合して仮止めすることによって、フック５１４およびフック係合部２３３により基板固定部材５１を取付部２３に仮止めした状態で基板固定部材５１をフロントキャビネット２１に取り付けることができるので、基板固定部材５１の取付作業効率を容易に行うことができる。
【００５６】
また、本実施形態では、基板固定部材５１を、第２位置決め部２３２によりフロントキャビネット２１に対して位置決めするともに、仮止め用のフック５１４をフロントキャビネット２１のフック係合部２３３に係合して仮止めした状態で、ネジ５１５ｂにより取付部２３に固定することによって、ネジ５１５ｂにより、第２位置決め部２３２によりフロントキャビネット２１に対して位置決めされた仮止め状態の基板固定部材５１を取付部２３に確実に取り付けることができる。
【００５７】
また、本実施形態では、基板固定部材５１は、平面視で略矩形形状を有しているとともに、略矩形形状の長手方向に延びる外縁部を、基板固定部材５１のフロントキャビネット２１に対する固定方向において他の部分よりも大きい厚みを有するように形成することによって、基板固定部材５１の機械的強度を高めることができるので、ねじれを抑制することができる。その結果、操作用基板４１の静電容量スイッチ４１１に対応する位置をフロントキャビネット２１の内面に向かって安定して押圧することができる。
【００５８】
また、本実施形態では、フロントキャビネット２１には透明樹脂板３１が取り付けられており、基板固定部材５１は、リブ５１１と略同じ高さを有する押圧部５１２を含み、押圧部５１２は、フロントキャビネット２１と操作用基板４１との間に透明樹脂板３１を挟み込んだ状態で、操作用基板４１の透明樹脂板３１に対向する側とは反対側の透明樹脂板３１に対応する位置近傍を押圧することによって、フロントキャビネット２１に取り付けられた透明樹脂板３１が押圧部５１２によりフロントキャビネット２１の内面側に押圧されるので、ユーザが透明樹脂板３１をフロントキャビネット２１の外側から内側に押し込んだ場合などフロントキャビネット２１の外側からの外力により透明樹脂板３１がフロントキャビネット２１の内部に陥没することを抑制することができる。
【００５９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６０】
たとえば、上記実施形態では、本発明をテレビジョン装置に適用する例を示したが、本発明はこれに限られない。テレビジョン装置以外の表示装置に本発明を適用してもよい。たとえば、ＰＣ（パーソナルコンピュータ）のディスプレイ等に本発明を適用してもよい。
【００６１】
また、上記実施形態では、７つの静電容量スイッチを操作用基板に設けた例を示したが、本発明はこれに限られない。本発明では、１つの静電容量スイッチを設けてもよいし、７つ以外の複数の静電容量スイッチを設けてもよい。
【００６２】
また、上記実施形態では、リブが、静電容量スイッチに対応する操作用基板の７つの位置のうち３つの位置を押圧する例を示したが、本発明はこれに限られない。本発明では、図１６に示す第１変形例のように、７つの静電容量スイッチの各々に対応するように７つの第１押圧部を設けてもよい。具体的には、基板固定部材８１に設けた７つのリブ８１１により、７つの静電容量スイッチに対応する操作用基板の７つの位置を押圧してもよいし、７つの静電容量スイッチに対応する操作基板の位置のうち、３つおよび７つ以外の静電容量スイッチに対応する操作基板の位置を押圧してもよい。
【００６３】
また、上記実施形態では、２つの押圧部（第２押圧部）を、基板固定部材に設けた例を示したが、本発明はこれに限られない。本発明では、１つ、または、３つ以上の第２押圧部を設けてもよい。
【００６４】
また、上記実施形態では、基板固定部材に設けられた押圧部（第２押圧部）を、三角形形状に形成した例を示したが、本発明はこれに限られない。本発明では、三角形形状以外の、たとえば、矩形形状や台形形状に形成してもよい。
【００６５】
また、上記実施形態では、第１押圧部としてリブを基板固定部材に一体的に設けた例を示したが、本発明はこれに限られない。本発明では、第１押圧部として基板固定部材とは別部材の押圧専用の押圧部を設けてもよい。
【００６６】
また、上記実施形態では、フック係合部を、孔形状に形成した例を示したが、本発明はこれに限られない。本発明では、孔形状以外のフック係合部を設けてもよい。
【００６７】
また、上記実施形態では、基板固定部材のリブ（第１押圧部）が設けられている部分が、筺体の内面側に対して略水平になるように基板固定部材を構成する例を示したが、本発明はこれに限られない。本発明では、図１７に示す第２変形例のように、基板固定部材９１の凸部９１１（第１押圧部）が設けられている部分が、凸部が基板を押圧する反力によって、筺体の内面側とは反対方向に凸状に反った状態で筺体に固定されるように基板固定部材を構成してもよい。
【符号の説明】
【００６８】
１  テレビジョン装置（表示装置）
２１  フロントキャビネット（筺体）
２３  取付部
３１  透明樹脂板
４１  操作用基板（基板）
５１、８１、９１  基板固定部材
６２  表示部
２３１  第１位置決め部
２３２  第２位置決め部
２３３  フック係合部
５１１、８１１  リブ（凸部、第１押圧部）
５１２  押圧部（第２押圧部）
５１４  フック
５１５ｂ  ネジ（締結部材）
６３３  受信部（チューナ）
９１１  凸部（第１押圧部）
【図１】
2013102420.tif 000003
【図２】
2013102420.tif 000004
【図３】
2013102420.tif 000005
【図４】
2013102420.tif 000006
【図５】
2013102420.tif 000007
【図６】
2013102420.tif 000008
【図７】
2013102420.tif 000009
【図８】
2013102420.tif 000010
【図９】
2013102420.tif 000011
【図１０】
2013102420.tif 000012
【図１１】
2013102420.tif 000013
【図１２】
2013102420.tif 000014
【図１３】
2013102420.tif 000015
【図１４】
2013102420.tif 000016
【図１５】
2013102420.tif 000017
【図１６】
2013102420.tif 000018
【図１７】
2013102420.tif 000019